(57)【要約】【課題】既存のスロットを有効利用することによりスロットを増やすことなくセキュリティ技術を導入し、装置の大型化やコスト上昇の問題を解決したデジタル放送受信装置を提供することである。【解決手段】カード２０が装着された２種類の形状のアダプタ３０を装着可能なスロット４７を有するデジタル放送受信装置４０において、スロット４７は、装着されたアダプタ３０の形状の違いを検出する検出スイッチ４９を備え、カード２０が装着されたアダプタ３０がスロット４７に装着されていない場合、映像及び音声の出力を禁止し、３．３Ｖ用アダプタを検出した場合、セキュリティカードであると判別し、映像及び音声の出力を許可し、５Ｖ用アダプタを検出した場合、スクランブル解除用カードであると判別し、映像及び音声の出力と所定のスクランブル放送の解除とを許可する構成とする。【選択図】図１
2008306612.tif 000002
【特許請求の範囲】
【請求項１】
カードと、該カードが装着されるアダプタと、２種類の形状のアダプタを装着可能なスロットと制御部とを有するデジタル放送受信装置と、を含むデジタル放送受信システムにおいて、
前記スロットは、装着されたアダプタの形状の違いを検出する検出スイッチを備え、
前記デジタル放送受信装置の制御部は、
カードが装着されたアダプタが前記スロットに装着されていない場合、映像及び音声の出力を禁止し、
一方の形状のアダプタを検出した場合、セキュリティカードであると判別し、映像及び音声の出力を許可し、
他方の形状のアダプタを検出した場合、スクランブル解除用カードであると判別し、映像及び音声の出力と所定のスクランブル放送の解除とを許可することを特徴とするデジタル放送受信システム。
【請求項２】
前記一方の形状のアダプタが３．３Ｖ用、前記他方の形状のアダプタが５Ｖ用であることを特徴とする請求項１記載のデジタル放送受信システム。
【請求項３】
前記検出スイッチは、前記一方の形状のアダプタでは押下され、前記他方の形状のアダプタでは押下されないことを特徴とする請求項１又は２記載のデジタル放送受信システム。
【請求項４】
カードが装着された２種類の形状のアダプタを装着可能なスロットと制御部とを有するデジタル放送受信装置において、
前記スロットは、装着されたアダプタの形状の違いを検出する検出スイッチを備え、
前記制御部は、
カードが装着されたアダプタが前記スロットに装着されていない場合、映像及び音声の出力を禁止し、
一方の形状のアダプタを検出した場合、セキュリティカードであると判別し、映像及び音声の出力を許可し、
他方の形状のアダプタを検出した場合、スクランブル解除用カードであると判別し、映像及び音声の出力と所定のスクランブル放送の解除とを許可することを特徴とするデジタル放送受信装置。
【請求項５】
前記一方の形状のアダプタが３．３Ｖ用、前記他方の形状のアダプタが５Ｖ用であることを特徴とする請求項４記載のデジタル放送受信装置。
【請求項６】
前記検出スイッチは、前記一方の形状のアダプタでは押下され、前記他方の形状のアダプタでは押下されないことを特徴とする請求項４又は５記載のデジタル放送受信装置。
【発明の詳細な説明】
【技術分野】
【０００１】
本発明は、カードと、該カードが装着されるアダプタと、２種類の形状のアダプタを装着可能なスロットを有するデジタル放送受信装置と、を含むデジタル放送受信システムに関する。
【背景技術】
【０００２】
デジタルテレビ放送サービスにおいては、所定の対価を支払って正規の受信契約を結んだ視聴者のみが番組を正しく視聴することができるように、限定受信（ＣＡ：Conditional Access）システムが採用されている。
【０００３】
この限定受信システムでは、番組提供者側が、番組を構成する映像信号や音声信号にスクランブル処理を施して送信するとともに、正規の受信契約を交わした視聴者に対して、スクランブル解除用のカードを支給する。
【０００４】
そして、視聴者がデジタル放送受信装置にカードを装着することにより、受信した映像信号や音声信号に対してデスクランブル処理を施すことができ、番組を正しく視聴することが可能となる。デジタル放送受信装置としては、デジタルチューナ、デジタル放送受信対応テレビ、デジタル放送受信対応ハードディスクレコーダ等がある。
【０００５】
また、デジタル放送の方式は世界共通ではなく、各地域で異なった規格が採用されている。したがって、スクランブル解除用のカードも異なっている。例えば、日本ではスクランブル解除用のＢ−ＣＡＳカードを直接デジタル放送受信装置のスロットに差し込むようになっているが、欧州ではスクランブル解除用のカードを５Ｖ用アダプタに差し込み、それをデジタル放送受信装置のＣＩ（Common Interface）スロットに装着するようになっている。なお、ＣＩスロットには３．３Ｖ用アダプタも装着可能となっている。
【０００６】
ところで、ホテルの各部屋に設置されたテレビでは、許可した場合にのみ放送を視聴できるようにしたり、家庭のテレビでは、子供等が勝手に視聴できないようにしたりするためのセキュリティ技術が提案されている。
【０００７】
例えば特許文献１には、禁止レベルの登録者である親が設定したパスワードを忘れた場合、テレビの購入時に添付されていたパスワード解除用カードを操作パネルに形成された挿入口に挿入すると、このパスワード解除用カードの先端により押下面が押圧されてタクトスイッチがＯＮになり、マイコンにより登録されたパスワードが解除されるパスワード制御装置が開示されている。
【０００８】
また例えば特許文献２には、ホテル等の館内ＣＡＴＶシステムにおいて、有料放送視聴にかかる課金はテレビ視聴カードによってなされ、このテレビ視聴カードを読込み／書込みするカードリーダ／ライタは、手動カード駆動機構を有する方式であり、リモートコントローラーに搭載される構成が開示されている。
【特許文献１】特開２０００−１６５８３９号公報
【特許文献２】特開２００３−１３４４９１号公報
【発明の開示】
【発明が解決しようとする課題】
【０００９】
上記のように、デジタル放送のスクランブルを解除するためにはスクランブル解除用のカードが必要であり、また、特許文献１や特許文献２では、テレビにセキュリティ技術を導入するためにカードを採用している。したがって、デジタル放送受信装置にセキュリティ技術を導入しようとすると、カードのスロットが２つ必要になる。しかし、これには装置の大型化の問題や、部品点数の増加によるコスト上昇の問題がある。
【００１０】
本発明は、既存のスロットを有効利用することによりスロットを増やすことなくセキュリティ技術を導入し、装置の大型化やコスト上昇の問題を解決したデジタル放送受信装置を提供することを目的とする。また、このデジタル放送受信装置を含むデジタル放送受信システムを提供することも目的とする。
【課題を解決するための手段】
【００１１】
上記目的を達成するために本発明は、カードと、該カードが装着されるアダプタと、２種類の形状のアダプタを装着可能なスロットと制御部とを有するデジタル放送受信装置と、を含むデジタル放送受信システムにおいて、前記スロットは、装着されたアダプタの形状の違いを検出する検出スイッチを備え、前記デジタル放送受信装置の制御部は、カードが装着されたアダプタが前記スロットに装着されていない場合、映像及び音声の出力を禁止し、一方の形状のアダプタを検出した場合、セキュリティカードであると判別し、映像及び音声の出力を許可し、他方の形状のアダプタを検出した場合、スクランブル解除用カードであると判別し、映像及び音声の出力と所定のスクランブル放送の解除とを許可することを特徴とする。
【００１２】
この構成によると、セキュリティカード又はスクランブル解除用カードを装着した場合にのみセキュリティが解除されて映像及び音声の出力が許可される。
【００１３】
上記のデジタル放送受信システムにおいて、前記一方の形状のアダプタが３．３Ｖ用、前記他方の形状のアダプタが５Ｖ用であることが望ましい。
【００１４】
従来より、欧州のデジタル放送受信装置においては３．３Ｖ用と５Ｖ用の兼用のスロットが採用されているからである。
【００１５】
また上記のデジタル放送受信システムにおいて、前記検出スイッチは、前記一方の形状のアダプタでは押下され、前記他方の形状のアダプタでは押下されないことが望ましい。
【００１６】
この構成によると、検出スイッチとしてタクトスイッチなど安価なスイッチを採用することができる。
【００１７】
また本発明をデジタル放送受信装置に適用すると、カードが装着された２種類の形状のアダプタを装着可能なスロットと制御部とを有するデジタル放送受信装置において、前記スロットは、装着されたアダプタの形状の違いを検出する検出スイッチを備え、前記制御部は、カードが装着されたアダプタが前記スロットに装着されていない場合、映像及び音声の出力を禁止し、一方の形状のアダプタを検出した場合、セキュリティカードであると判別し、映像及び音声の出力を許可し、他方の形状のアダプタを検出した場合、スクランブル解除用カードであると判別し、映像及び音声の出力と所定のスクランブル放送の解除とを許可する構成となる。
【００１８】
同様に、上記のデジタル放送受信装置においては、前記一方の形状のアダプタが３．３Ｖ用、前記他方の形状のアダプタが５Ｖ用であることが望ましい。
【００１９】
また同様に、上記のデジタル放送受信装置においては、前記検出スイッチは、前記一方の形状のアダプタでは押下され、前記他方の形状のアダプタでは押下されないことが望ましい。
【発明の効果】
【００２０】
本発明によれば、スロットにアダプタ及びカードが装着されていない場合にはセキュリティを解除することなく視聴不可とし、一方の形状のアダプタ及びセキュリティカードが装着されている場合にはセキュリティを解除し、他方の形状のアダプタ及びスクランブル解除用カードが装着されている場合にはセキュリティの解除及びスクランブル放送の解除を許可することにより、スロットを増やすことなくセキュリティ技術を導入し、装置の大型化やコスト上昇の問題を解決することができる。
【００２１】
したがって、実用化への障害が小さく、ホテルの各部屋に設置されたテレビに利用すれば、許可した場合にのみ放送を視聴できるようにすることができ、家庭のテレビに利用すれば、子供等が勝手に視聴できないようにすることができる。
【発明を実施するための最良の形態】
【００２２】
図１は、本発明のデジタル放送受信システムの概略構成を示すブロック図である。デジタル放送受信システム１０は、カード２０と、カード２０が装着されるアダプタ３０と、２種類の形状のアダプタを装着可能なデジタル放送受信装置４０と、アンテナ６０とを含んでいる。
【００２３】
そしてデジタル放送受信装置４０は、チューナ部４１と、復調＆ＦＥＣ部４２と、データ分離部４３と、映像・音声デコード部４４と、映像合成部４５と、音声Ｄ／Ａコンバータ４６と、スロット４７と、切替部４８と、検出スイッチ４９と、制御部５０とを備えている。
【００２４】
アンテナ６０は、チューナ部に接続されており、デジタル放送の放送電波を受信し、電気信号である放送信号に変換してチューナ部４１へ出力する。チューナ部４１は、アンテナ６０から入力された放送信号から制御部５０が指示する周波数の放送信号を抽出し、該抽出した放送信号に対して周波数変換を行って中間周波数信号を生成し、復調＆ＦＥＣ部４２へ出力する。
【００２５】
復調＆ＦＥＣ部４２は、中間周波数信号に対して復調及びエラー訂正（ＦＥＣ）等を行ってＴＳ（トランスポートストリーム）を生成し、スクランブルの掛かっていないＴＳの場合はデータ分離部４３へ出力し、スクランブルの掛かっているＴＳの場合はカード２０へ出力する。装着されているカード２０が後述するスクランブル解除用カードである場合は、カード内でＴＳがデスクランブル処理されデータ分離部４３へ出力される。
【００２６】
データ分離部４３は、入力されたＴＳから映像データ及び音声データを分離し、映像データ及び音声データは映像・音声デコード部４４へ出力する。映像・音声デコード部４４は、入力された映像データ及び音声データをデコードし、デコードした映像データを映像合成部４５へ出力し、デコードした音声データを音声Ｄ／Ａコンバータ４６へ出力する。
【００２７】
映像合成部４５は、入力された映像データと、自ら生成した映像データとを合成し、合成データに基づく表示用信号を表示装置（不図示）へ出力する。また、映像合成部４５は、上記合成を行わず、自ら生成した映像データに基づく表示用信号を出力することも行う。音声Ｄ／Ａコンバータ４６は、入力された音声データをデジタルからアナログに変換し、スピーカ（不図示）へ出力する。なお、表示装置及びスピーカは、デジタル放送受信装置４０と一体であってもよいし、外部装置として接続するものであってもよい。
【００２８】
スロット４７は、２種類の形状のアダプタ３０を装着可能なスロットである。ここでは、駆動電圧が５Ｖ用と３．３Ｖ用のアダプタを装着できるものとして説明する。切替部４８は制御部５０とスロット４７との間に設けられ、制御部５０の指示によって５Ｖ用と３．３Ｖ用に回路を切り替える。検出スイッチ４９は、スロット４７内に設けられ、スロット４７に装着されるアダプタ３０の形状の違いを検出する。検出スイッチ４９の詳細については後述する。
【００２９】
制御部５０は、デジタル放送受信装置４０全体を制御するものであり、チューナ部４１に抽出する放送信号の周波数を指示したり、文字や図形等の画像データを生成して映像合成部４５へ出力したりする。
【００３０】
カード２０としては、受信契約を結んだ視聴者に支給されるスクランブル解除用カードと、デジタル放送受信装置４０の付属品であって、セキュリティを解除する（映像及び音声の出力を許可する）セキュリティカードとがある。スクランブル解除用カードは５Ｖ用アダプタに装着して用い、セキュリティカードは３．３Ｖ用アダプタに装着して用いる仕様となっている。なお、カード２０の形態には特に限定はなく、例えば、ＩＣカード、ＳＤメモリカード、ＣＦカードなどを用いることができる。
【００３１】
図２に、５Ｖ用アダプタにスクランブル解除用カードが装着された状態のブロック図を示し、図３に、３．３Ｖ用アダプタにセキュリティカードが装着された状態のブロック図を示す。
【００３２】
図２に示すように、スクランブル解除用カード２１は５Ｖ用アダプタ３１に装着して使用する。スクランブル解除用カード２１には、解除キー２２と、デスクランブル部２３とが内蔵されている。解除キー２２は、スクランブルの掛かった所定の番組を解除するためのキー情報であり、この解除キー２２の種類によって受信契約を結んだ番組のスクランブル解除を行うことができる。デスクランブル部２３は、復調＆ＦＥＣ部４２から入力されたＴＳをデスクランブル処理し、データ分離部４３へ出力する。以後の処理はスクランブルの掛かっていないＴＳと同様に行うことができる。
【００３３】
図３に示すように、セキュリティカード２５は３．３Ｖ用アダプタ３２に装着して使用する。セキュリティカード２５には、セキュリティキー２６が内蔵されている。セキュリティキー２６は、デジタル放送受信装置４０のセキュリティを解除するキー情報である。セキュリティキー２６は制御部５０によって読み出され、制御部５０が有する情報と一致すればセキュリティが解除される。
【００３４】
図４は、５Ｖ用アダプタ３１の外観図であり、（ａ）は平面図、（ｂ）は正面図、（ｃ）は側面図である。図５は、３．３Ｖ用アダプタ３２の外観図であり、（ａ）は平面図、（ｂ）は正面図、（ｃ）は側面図である。図４及び図５では図示していないが、カード２１、２５はアダプタ３１、３２の背面側から挿入されてアダプタ３１、３２内に装着される。
【００３５】
図４と図５を比較するとわかるように、５Ｖ用アダプタ３１及び３．３Ｖ用アダプタ３２の右側面の正面端部には、それぞれ切り欠き３１ａ、３１ｂが形成されており、切り欠き３１ａの厚みが切り欠き３２ａの厚みよりも厚くなっている。５Ｖ用アダプタ３１及び３．３Ｖ用アダプタ３２のそれ以外の形状は同じである。
【００３６】
次に、検出スイッチ４９の詳細について説明する。図６は、５Ｖ用アダプタ３１が装着された状態の検出スイッチ４９の外観図であり、（ａ）は平面図、（ｂ）は正面図である。図７は、３．３Ｖ用アダプタ３２が装着された状態の検出スイッチ４９の外観図であり、（ａ）は平面図、（ｂ）は正面図である。
【００３７】
検出スイッチ４９は、アダプタ３１、３２が装着されたときに切り欠き３１ａには触れず（図６参照）、切り欠き３２ａの下方のアダプタ側面３２ｂで押下されるように（図７参照）、スロット４７の側面４７ａに配設されている。また検出スイッチ４９は、略直方体であり、少なくとも挿入側端部４９ａの角は、丸めるか斜めに形成しておくことが望ましい。３．３Ｖ用アダプタ３２が挿入される際に検出スイッチ４９がスムーズに押下されるようにするためである。また検出スイッチ４９は、押下されていない状態でＯＦＦ、押下されている状態でＯＮとなるスイッチであり、タクトスイッチなどを用いることができる。
【００３８】
なお、検出スイッチ４９は上記の形状に限定されることはなく、例えば、棒状（針状）にしてアダプタ３０の挿入方向に押下されるように、切り欠き３１ａに対向するスロット４７の奥面４７ｂに配設してもよい。
【００３９】
次に、セキュリティ解除及びスクランブル解除に関するデジタル放送受信装置４０の動作について説明する。図８は、デジタル放送受信装置４０の動作を示すフローチャートである。
【００４０】
まず制御部５０は、ステップＳ１０においてカード２０及びアダプタ３０がスロット４７に装着されたか否かを判別する。これは、制御部５０に入力されるカードディテクト信号によって判別される。例えば、スロット４７に何も装着されていない場合にはカードディテクト信号がｈｉｇｈになるようにし、カード２０及びアダプタ３０が装着された場合にはカードディテクト信号がｌｏｗとなるようにすれば判別できる。
【００４１】
ステップＳ１０においてカード２０及びアダプタ３０がスロット４７に装着されていないと判別した場合は、セキュリティは解除しないと判断し、ステップＳ１１へ進んで映像及び音声の出力を禁止する。映像及び音声の出力を禁止するには、映像合成部４５及び音声Ｄ／Ａコンバータ４６から出力されなければよいので、映像合成部４５及び音声Ｄ／Ａコンバータ４６で出力を止めてもよいし、それら以前のどの処理で止めるようにしても構わない。
【００４２】
一方、ステップＳ１０においてカード２０及びアダプタ３０がスロット４７に装着されていると判別した場合は、ステップＳ１２へ進んで検出スイッチ４９のＯＮ／ＯＦＦを判別する。ステップＳ１２においてＯＦＦと判別すると、５Ｖ用アダプタ３１、つまりスクランブル解除用カード２１が装着されていることがわかるので、ステップＳ１３へ進んでセキュリティを解除して映像及び音声の出力を許可するとともに、デスクランブル処理も許可する。
【００４３】
一方、ステップＳ１２においてＯＮと判別すると、３．３Ｖ用アダプタ３２、つまりセキュリティカード２５が装着されていることがわかるので、ステップＳ１４へ進んでセキュリティキー２６を用いてセキュリティを解除して映像及び音声の出力を許可する。
【００４４】
このように、スロット４７にアダプタ３０及びカード２０が装着されていない場合にはセキュリティを解除することなく視聴不可とし、５Ｖ用アダプタ３１及びスクランブル解除用カード２１が装着されている場合にはセキュリティの解除及びデスクランブル処理を許可し、３．３Ｖ用アダプタ３２及びセキュリティカード２５が装着されている場合にはセキュリティを解除することにより、スロットを増やすことなくセキュリティ技術を導入し、装置の大型化やコスト上昇の問題を解決することができる。
【００４５】
なお、上記の実施形態においてはセキュリティカード２５内にセキュリティキー２６設けているが、必ずしも必要ではない。セキュリティキー２６を採用しない場合は、３．３Ｖ用アダプタ３２が装着されたことを検出すればセキュリティを解除するようにすればよい。
【産業上の利用可能性】
【００４６】
本発明のデジタル放送受信装置は、セットトップボックスをはじめとし、テレビ、ＤＶＤレコーダやＨＤＤレコーダ等の記録再生装置、それらの複合機に利用することができる。例えば、ホテルの各部屋に設置されたテレビに利用すれば、許可した場合にのみ放送を視聴できるようにすることができる。また例えば、家庭のテレビに利用すれば、子供等が勝手に視聴できないようにすることができる。
【図面の簡単な説明】
【００４７】
【図１】本発明のデジタル放送受信システムの概略構成を示すブロック図である。
【図２】５Ｖ用アダプタにスクランブル解除用カードが装着された状態のブロック図である。
【図３】３．３Ｖ用アダプタにセキュリティカードが装着された状態のブロック図である。
【図４】５Ｖ用アダプタの外観図であり、（ａ）は平面図、（ｂ）は正面図、（ｃ）は側面図である。
【図５】３．３Ｖ用アダプタの外観図であり、（ａ）は平面図、（ｂ）は正面図、（ｃ）は側面図である
【図６】５Ｖ用アダプタが装着された状態の検出スイッチの外観図であり、（ａ）は平面図、（ｂ）は正面図である。
【図７】３．３Ｖ用アダプタが装着された状態の検出スイッチの外観図であり、（ａ）は平面図、（ｂ）は正面図である。
【図８】デジタル放送受信装置の動作を示すフローチャートである。
【符号の説明】
【００４８】
１０    デジタル放送受信システム
２０    カード
２１    スクランブル解除用カード
２５    セキュリティカード
３０    アダプタ
３１    ５Ｖ用アダプタ
３２    ３．３Ｖ用アダプタ
４７    スロット
４９    検出スイッチ
【図１】
2008306612.tif 000003
【図２】
2008306612.tif 000004
【図３】
2008306612.tif 000005
【図４】
2008306612.tif 000006
【図５】
2008306612.tif 000007
【図６】
2008306612.tif 000008
【図７】
2008306612.tif 000009
【図８】
2008306612.tif 000010